(57)【要約】【課題】コンテンツの権利情報を補強し、コンテンツ制作側の意図を反映させるような視聴制御を行える技術を提供すること。【解決手段】本発明は、コンテンツの視聴後の視聴条件が記述され、コンテンツの視聴後に前記視聴条件が満足されるまで、所定の視聴制限を行う視聴制御子を送出する送出手段と、視聴のログを記録するログ記録手段と、前記視聴制御子に基づいて、前記コンテンツの視聴後に前記所定の視聴制限を行い、記録されている視聴のログの中から前記視聴条件を満たしたログを検出すると、所定の制限を解除する視聴制御手段とを有することを特徴とする視聴制御システムである。【選択図】図３
2010045838.tif 000002
【特許請求の範囲】
【請求項１】
視聴制御システムであって、
コンテンツの視聴後の視聴条件が記述され、コンテンツの視聴後に前記視聴条件が満足されるまで、所定の視聴制限を行う視聴制御子を送出する送出手段と、
視聴のログを記録するログ記録手段と、
前記視聴制御子に基づいて、前記コンテンツの視聴後に前記所定の視聴制限を行い、記録されている視聴のログの中から前記視聴条件を満たしたログを検出すると、所定の制限を解除する視聴制御手段と
を有することを特徴とする視聴制御システム。
【請求項２】
前記所定の制限が、受信機の電源オフの禁止、又は、チャネル変更の禁止であることを特徴とする請求項１に記載の視聴制御システム。
【請求項３】
放送局であって、
コンテンツの視聴後の視聴条件が記述され、コンテンツの視聴後に前記視聴条件が満足されるまで、受信機に対して所定の制限を行う視聴制御子を送出する送出手段を有することを特徴とする放送局。
【請求項４】
コンテンツの視聴後の視聴条件が記述され、コンテンツの視聴後に前記視聴条件が満足されるまで、受信機に対して所定の制限を行う視聴制御子を受信し、視聴制御を行う受信機であって、
視聴のログを記録するログ記録手段と、
受信した視聴制御子に基づいて、前記コンテンツの視聴後に前記所定の視聴制限を行い、記録されている視聴のログの中から前記視聴条件を満たしたログを検出すると、所定の制限を解除する視聴制御手段と
を有することを特徴とする受信機。
【請求項５】
視聴制御方法であって、
放送局は、コンテンツの視聴後の視聴条件が記述され、コンテンツの視聴後に前記視聴条件が満足されるまで、所定の視聴制限を行う視聴制御子を送出し、
受信機は、視聴のログを記録し、
受信機は、前記視聴制御子に基づいて、前記コンテンツの視聴後に前記所定の視聴制限を行い、記録されている視聴のログの中から前記視聴条件を満たしたログを検出すると、所定の制限を解除する
ことを特徴とする視聴制御方法。
【発明の詳細な説明】
【技術分野】
【０００１】
本発明は視聴制御システム、放送局、受信機及び視聴制御方法に関する。
【背景技術】
【０００２】
近年、テレビ放送がデジタル化されると共に、大容量で低価格なハードディスクを利用した蓄積型受信機の普及が予想される。普及にともない誰もがコンテンツを時間、場所を問わずに視聴できる可能性を秘めている。
【０００３】
しかしながら、コンテンツの視聴の大幅な自由は視聴者に大きなメリットをもたらすが、コンテンツ制作側の意図がかならずしも反映されない可能性もある。
【０００４】
一方、コンテンツの権利情報を記述するメタデータの方式として、ＸｒＭＬ（eXtensible rights Markup Language:  非特許文献１参照）がある。
【先行技術文献】
【非特許文献】
【０００５】
【非特許文献１】インターネット＜URL://http://www.xrml.org＞
【発明の概要】
【発明が解決しようとする課題】
【０００６】
上述のＸｒＭＬはコンテンツの権利情報を記述するものではあるが、コンテンツ制作側の意図を反映させるような視聴制御を行えるものではなかった。
【０００７】
そこで、本発明は上記課題に鑑みて発明されたものであって、その目的はコンテンツの権利情報を補強し、コンテンツ制作側の意図を反映させるような視聴制御を行える技術を提供することにある。
【課題を解決するための手段】
【０００８】
本発明は、視聴制御システムであって、コンテンツの視聴後の視聴条件が記述され、コンテンツの視聴後に前記視聴条件が満足されるまで、所定の視聴制限を行う視聴制御子を送出する送出手段と、視聴のログを記録するログ記録手段と、前記視聴制御子に基づいて、前記コンテンツの視聴後に前記所定の視聴制限を行い、記録されている視聴のログの中から前記視聴条件を満たしたログを検出すると、所定の制限を解除する視聴制御手段とを有することを特徴とする視聴制御システムである。
【０００９】
また、本発明は、放送局であって、コンテンツの視聴後の視聴条件が記述され、コンテンツの視聴後に前記視聴条件が満足されるまで、受信機に対して所定の制限を行う視聴制御子を送出する送出手段を有することを特徴とする放送局である。
【００１０】
また、本発明は、コンテンツの視聴後の視聴条件が記述され、コンテンツの視聴後に前記視聴条件が満足されるまで、受信機に対して所定の制限を行う視聴制御子を受信し、視聴制御を行う受信機であって、視聴のログを記録するログ記録手段と、受信した視聴制御子に基づいて、前記コンテンツの視聴後に前記所定の視聴制限を行い、記録されている視聴のログの中から前記視聴条件を満たしたログを検出すると、所定の制限を解除する視聴制御手段とを有することを特徴とする受信機である。
【００１１】
また、本発明は、視聴制御方法であって、放送局は、コンテンツの視聴後の視聴条件が記述され、コンテンツの視聴後に前記視聴条件が満足されるまで、所定の視聴制限を行う視聴制御子を送出し、受信機は、視聴のログを記録し、受信機は、前記視聴制御子に基づいて、前記コンテンツの視聴後に前記所定の視聴制限を行い、記録されている視聴のログの中から前記視聴条件を満たしたログを検出すると、所定の制限を解除することを特徴とする視聴制御方法である。
【発明の効果】
【００１２】
本発明によれば、コンテンツ制作側の意図を反映させるような視聴制御を行える。
【図面の簡単な説明】
【００１３】
【図１】図１は実施例１のブロック図である。
【図２】図２は放送局１のブロック図である。
【図３】図３は視聴制御子を説明する為の図である。
【図４】図４は受信機２のブロック図である。
【図５】図５は実施例１の動作フローチャートである。
【発明を実施するための形態】
【００１４】
本発明による視聴制御は、メタデータに視聴を制御する視聴制御子を記述し、この視聴制御子の条件に合致するか否かを、受信機側で記録された視聴者の視聴履歴（ログ）を用いて判定する。そして、条件を満足するならば、受信したコンテンツの視聴を許可するものである。
【００１５】
また、視聴制御子は、コンテンツ受信前に記憶されている視聴者の視聴履歴（ログ）のみならず、コンテンツ視聴中又は視聴後に他のコンテンツを視聴するといった制御も行う。
【００１６】
例えば、受信機側に大容量の蓄積装置が存在し、そこに放送又は通信を経由して配信される番組や、視聴制御子を含むメタデータが蓄積される。そして、放送又は通信を経由して配信されている番組やメタデータは蓄積装置や受信部が管理している。視聴時において、視聴制御解読部は、蓄積されたメタデータから視聴制御子を読み出して解読し、その結果に基づいて、視聴制御部が視聴制御を実行する。
【００１７】
以下、具体的な実施例を説明する。
【実施例１】
【００１８】
本発明の実施例１を説明する。
【００１９】
図１は実施例１のブロック図である。
【００２０】
図１中、１は放送局、２は受信機である。
【００２１】
図２は放送局１のブロック図である。
【００２２】
図２中、１０は、受信機２における視聴者の視聴履歴等のログを記録させるログ記録制御子と、受信機２における再生を制御する視聴制御子とを生成する制御子生成部である。
【００２３】
ここで、ログ記録制御子と視聴制御子とについて説明する。
【００２４】
まず、ログ記録制御子について説明する。
【００２５】
ログ記録制御子は、受信機２における視聴者の視聴履歴等のログを記録させる為のものであり、例えば、視聴者が視聴した番組や、コマーシャル等の視聴したものを特定する為の情報を、受信機２側に記録させるものである。これらの情報としては、視聴した日時、視聴した番組等の識別情報等である。尚、このログ記録制御子は、本発明の必項の構成要素ではなく、受信機２側でコンテンツの視聴履歴を自動的に記録する機能があれば、かならずしも必要とはしない。
【００２６】
続いて、視聴制御子について、図３を用いて説明する。尚、図３中、ＭＤとはメタデータを示し、ＣＭはコマーシャルを示している。
【００２７】
視聴制御子は、受信機２における視聴を制御する視聴制御子であって、以下の視聴制御子がある。
【００２８】
（１）  Ａを満たせばＸを許可するという視聴制御子(以下、第１のPre-Conditionと称する)
この視聴制御子は、条件が記載されたメタデータ確認前に、メタデータに指定された条件がすでに実行され、条件が満たされている場合、再生を許可する制御子である。
【００２９】
例えば、Ａをコマーシャル、Ｘを番組の本編とすると、図３の１に示される如く、メタデータの条件を確認し、特定のコマーシャルの視聴がログに記録されていれば、番組の本編の再生を許可するのである。
【００３０】
（２）  Ａを実行すればＸを許可されるという視聴制御子(以下、第２のPre-Condition称する)
この視聴制御子は、メタデータに記述された条件を、視聴者が視聴段階では満たしていない、すなわちログに記録されていない場合、例えば、たとえば、視聴者に、「この条件を満たさなければ本編を見ることは出来ません。」というようなメッセージを出し、それに従って視聴者が条件を満たせば、条件を満たしたことで行うことの出来る行為を行うことができる。
【００３１】
例えば、Ａをコマーシャル、Ｘを番組の本編とすると、図３の２に示される如く、メタデータの条件を確認する段階では、コマーシャルを視聴するという条件を満たしておらず、メッセージの提示後、コマーシャルを視聴すると、本編の再生を許可するものである。
【００３２】
尚、上述の（１）、（２）の制御子(Pre-Condition)は、視聴開始時点までに適用する制御条件と制御内容である。
【００３３】
（３）  ＡをしたらＸができる、又はしなければならないという視聴制御子(以下、Post-Condition称する)
この視聴制御子は、再生等は先に行為を行うことが出来るが、行為を行った後に、メタデータに記載された条件を満たさなければならない、又は満たすことが出来るという制御子である。
【００３４】
例えば、Ａを番組の本編、Ｘを見たらアンケートの回答等とすると、本編の視聴は許可するが、その後にアンケートの回答をしなければならないというものである。
【００３５】
また、例えば、Ａを番組の本編、Ｘを本編を見たらコマーシャルを視聴するとすると、図３の３に示される如く、本編の視聴は許可するが、その後にコマーシャルを視聴しなければならないというものである。
【００３６】
尚、上述の（３）の制御子(Post-Condition)は、番組視聴後に対する視聴条件を指定する制御子である。
【００３７】
（４）  Ｘをしている間にＢをすることができる、又はしなければならないという視聴制御子(以下、on-Process Condition称する)
この視聴制御子は、行為を実行中に、条件を満たさなければならない、又は満たすことが出来るとい制御子である。
【００３８】
例えば、Ｘを番組の本編、Ｂを本編の特別ホームページとすると、本編を視聴している間のみ、本編の特別ホームページを見ることが出来る、又は本編視聴中に本編の特別ホームページを見なければならないということになる。
【００３９】
また、例えば、Ｘを番組の本編、Ｂを、コマーシャルを視聴しなければならないとすると、図３の４に示される如く、本編の視聴中に、コマーシャルを視聴しなければならないというものである。
【００４０】
尚、上述の（４）の制御子(on-Process Condition)は、番組視聴中に適用する制御条件と制御内容を指定する制御子である。
【００４１】
（５）  Ａ、又はＡ’を実行すればＸを許可されるという視聴制御子
この制御子はＡのみならず、このＡに代えてＡ’をすれば、Ｘを許可されるという視聴制御子である。例えば、Ａをコマーシャル１、Ａ’をコマーシャル２、Ｘを番組本編とすると、コマーシャル１を視聴していなくとも、コマーシャル２を視聴していれば、番組本編の視聴を許可するといった視聴制御を行う。
【００４２】
上述したこれらの制御子は、単独で用いることはもちろん、組み合わせて使用しても良い。
【００４３】
１１は合成部である。この合成部１１は、ＭＰＥＧ２などでエンコードされた映像・音声ストリーム等のコンテンツと、視聴制御子生成部１０で生成された制御子とを合成するものである。具体的には、コンテンツのメタデータに視聴制御子、又はログ制御子を追加するものである。
【００４４】
１２は送信設備であり、制御子が記述されたメタデータが追加されたコンテンツを受信機２に送信するものである。
【００４５】
次に、受信機２について説明する。
【００４６】
図４は受信機２のブロック図である。
【００４７】
図４中、２０は視聴制御子が記述されたメタデータ付のコンテンツを受信する受信部である。
【００４８】
２１は視聴制御子解読部である。視聴制御子解読部２１は、コンテンツのメタデータから視聴制御子を解読するものである。
【００４９】
２２はログ記録部である。このログ記録部２２は、コンテンツの視聴履歴（ログ）が記録されるものである。視聴履歴としては、視聴した日時、視聴したコンテンツを特定する識別情報（例えば、番組、コマーシャル名や、識別コード等）である。
【００５０】
２３は視聴制御部である。この視聴制御部２３は、視聴制御子解読部２１の視聴制御子の解読内容を受け、コンテンツの視聴を制御するものである。具体的には、例えば、ログ記録部２２に記録されている視聴履歴より、視聴制御子の条件を満足するものなのか判定を行い、条件を満足するならば、コンテンツの再生を行う。また、コマーシャルや、コンテンツの視聴履歴を、ログ記録部２２に記録する。
【００５１】
２４は視聴制御部２３により、視聴制御されたコンテンツ（映像・音声）が表示・出力される表示部である。
【００５２】
次に、上述の構成において、具体的な例を用いて動作を説明する。
【００５３】
図５は実施例１の動作フローチャートである。
【００５４】
尚、以下の動作の説明において、視聴制御子には、Pre-Condtion、On-Process-Condition、Post-Conditionがそれぞれオプションとして含まれているものとする。また、それぞれのConditionにはある条件の実行が記述されているものとする。例えば、あるコンテンツの視聴代替として当該コンテンツの視聴を開始・終了したとみなしても良いとするログ記録条件や、当該コンテンツを視聴するには、ある指定されたコンテンツの視聴が事前に必要であるとする視聴条件や、当該コンテンツの視聴中にのみ許されるある特定の処理の実行許可等である。
【００５５】
まず、待機中の受信機２において、視聴要求があると、コンテンツの受信が開始される（Ｓｔｅｐ  １００）。コンテンツのメタデータに視聴制御子が記述されている場合には（Ｓｔｅｐ  １０１）、その視聴制御子の視聴条件に基づく視聴制御を行う。
【００５６】
視聴制御子がPre-Condtionである場合（Ｓｔｅｐ  １０２）、ログ記録部２２に記録されている視聴履歴（ログ）を確認し（Ｓｔｅｐ  １０３）、条件に合致した視聴履歴（条件のコンテンツを過去に視聴しているというログ）がある場合には、受信したコンテンツの視聴を開始する（Ｓｔｅｐ  １０４）。
【００５７】
視聴制御子がPre-Condtionでない場合（Ｓｔｅｐ  １０２）、受信したコンテンツの視聴を開始される（Ｓｔｅｐ  １０４）。そして、視聴制御子がOn-Process-Conditionである場合（Ｓｔｅｐ  １０５）、コンテンツの視聴中に記述されている条件を視聴者が実行し（Ｓｔｅｐ  １０６）、その後にコンテンツの視聴が終了される（Ｓｔｅｐ  １０７）。
【００５８】
視聴制御子がPost-Conditionである場合（Ｓｔｅｐ  １０８）、コンテンツの視聴終了後にメタデータに記述された条件を、視聴者が実行し（Ｓｔｅｐ  １０９）、その後に待機状態に戻る。
【００５９】
一方、コンテンツのメタデータに視聴制御子が記述されていない場合には（Ｓｔｅｐ  １０１）、通常通り、コンテンツの視聴を開始し（Ｓｔｅｐ  １１０）、コンテンツの視聴を終了する（Ｓｔｅｐ  １１１）。
【００６０】
尚、ここで、コンテンツ視聴の開始時や終了時といった通常のログ記録は、視聴制御子の有無に関わらず、図中のコンテンツの視聴開始処理でコンテンツ視聴の開始記録が、コンテンツの視聴終了処理でコンテンツの視聴終了記録が、それぞれログとして記録される。そのため、視聴制御子が付属していないコンテンツを視聴したとしても視聴したという事実は記録されるため、視聴制御記述子の付属しているコンテンツが、視聴制御記述子の付属していないコンテンツの事前の視聴を条件として設定しても、矛盾のないコンテンツ視聴制御を実現することができる。
【００６１】
続いて、上述の動作フローに基づいた具体的な情報の流れについて説明する。
【００６２】
尚、処理例として、（１）コンテンツＡを過去に視聴していたのでコンテンツＢを視聴することができる、（２）コンテンツＢを視聴し終ったのでコンテンツＣを視聴しなければならない、（３）コンテンツＡを視聴する代替としてコンテンツＤを視聴する、という３つについて説明する。
【００６３】
（１）  コンテンツＡを過去に視聴していたのでコンテンツＢを視聴することができる場合（制御子がPre-Conditionの場合）
信号線00を通して視聴したいコンテンツＢと、それに付随する視聴制御子を受信部２０で受信する。視聴制御子は、信号線07を通して視聴制御子解読部２１に送られ、ここでその内容が解読される。ここでは、視聴制御子に、コンテンツＢを視聴するためには予めコンテンツＡを視聴していることが要求条件として記述されているものとする。
【００６４】
解読された結果は信号線06を通して視聴制御部２３に送られる。視聴制御部２３は、信号線04を通してログ記録部２２に、コンテンツＡを過去に視聴していたかどうかを問い合わせる。問い合わせの結果は、信号線05を通して視聴制御部２３に送り返される。ここで、コンテンツＡを視聴していなければ、視聴制御部２３はコンテンツＢを視聴することを許可しない。一方、コンテンツＡを視聴していれば、視聴制御部２３はコンテンツＢを視聴することを許し、信号線02を通して受信部にコンテンツＢを視聴制御部２３に送ることを要求する。
【００６５】
要求されたコンテンツＢは、信号線01を通して視聴制御部２３に送られ、視聴制御部２３はその信号を表示部２４に受け渡す。その際、視聴制御部２３は、コンテンツＢの視聴が開始されたことを、信号線04を通してログ記録部２２に送りその事実を記録する。また、コンテンツＢの視聴が終ったならば、その記録を信号線04を通してログ記録部２２に送り、それを記録する。
【００６６】
（２）  コンテンツＢを視聴し終ったのでコンテンツＣを視聴しなければならない場合（制御子がPost-Conditionの場合）
信号線00を通して視聴したいコンテンツＢとそれに付随する視聴制御子を受信部２０に受信する。視聴制御子は、信号線07を通して視聴制御子解読部２１に送られ、ここでその内容が解読される。ここでは、視聴制御子に、コンテンツＢを視聴し終った場合には必ずコンテンツＣを視聴することが要求条件として記述されているものとする。解読された結果は信号線06を通して視聴制御部２３に送られる。視聴制御部２３は、信号線02を通して受信部２０にコンテンツＢを視聴制御部２３に送ることを要求する。要求されたコンテンツＢは、信号線01を通して視聴制御部２３に送られ、視聴制御部２３はその信号を表示部２４に受け渡す。その際、視聴制御部２３は、コンテンツＢの視聴が開始されたことを、信号線04を通してログ記録部２２に送りその事実を記録する。
【００６７】
また、コンテンツＢの視聴が終ったならば、そのことを信号線04を通してログ記録部２２に送り、それを記録する。同時に、視聴制御部２３は、コンテンツＣを視聴することが条件であることを理解しているため、信号線02を通してコンテンツＣを送ることを受信部２０に指令し、要求されたコンテンツＣは信号線01を通して視聴制御部２３に送られ、更に表示部２４に送られる。コンテンツＣを表示している際、視聴制御部２３は受信機２全体を制御し、視聴者が受信機を操作することを一切許さない。例えば、電源スイッチをオフにでない、チャネルを変えることができない、などをあげることができる。このことにより、コンテンツＣを強制的に視聴しなければならないというコンテンツＢに付随していた視聴制御子の要求条件は満足される。
【００６８】
（３）コンテンツＡを視聴する代替としてコンテンツＤを視聴する場合
信号線00を通して視聴したいコンテンツＡとそれに付随する視聴制御子を受信部２０に受信する。視聴制御子は、信号線07を通して視聴制御子解読部２１に送られ、ここでその内容が解読される。ここでは、視聴制御子に、コンテンツＡを視聴する代わりにコンテンツＤを視聴しても良いことが記述されているものとする。解読された結果は、信号線06を通して視聴制御部２３に送られる。
【００６９】
視聴制御部２３は、コンテンツＡの代わりにコンテンツＤを視聴することが望ましいと判断すると、信号線02を通してコンテンツＤを受信部２０に要求する。このような判断が下される例として、コンテンツＤの方が視聴者の好みに合っているという場合や、何らかの受信機の条件がコンテンツＤを表示するべきであると指定している場合などがあげられる。要求されたコンテンツＤは、信号線01を通して視聴制御部２３に送られ、更に表示部２４に送られる。
【００７０】
視聴制御部２３は、コンテンツＤの視聴が開始されたことを信号線04を通してログ記録部２２に通知する。
【００７１】
この際、コンテンツＡを視聴することと、同等の条件としてコンテンツＤを視聴しているという事実を記録する。また、コンテンツＤを視聴し終った場合にもその事実を信号線04を通してログ記録部２２に記録する。このような一連の操作の結果、例えば、コンテンツＢを受信部２０に受信し、コンテンツＢを視聴するにはコンテンツＡを視聴しなければならないという視聴制御子情報が付属していた場合、実際にはコンテンツＡを視聴してはいないが、コンテンツＡと同等のものとしてコンテンツＤを視聴していたという記録をログ記録部２２から得ることができるため、コンテンツＤを視聴したという事実を以って、コンテンツＡを視聴することなく、コンテンツＢを視聴できるという機能を実現することができる。
【００７２】
以上好ましい実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【００７３】
１      放送局
２      受信機
１０    制御子生成部
１１    合成部
１２    送信設備
２０    受信部
２１    視聴制御子解読部
２２    ログ記録部
２３    視聴制御部
２４    表示部
【図１】
2010045838.tif 000003
【図２】
2010045838.tif 000004
【図３】
2010045838.tif 000005
【図４】
2010045838.tif 000006
【図５】
2010045838.tif 000007